(57)【特許請求の範囲】
【請求項１】
表示情報を画面上に表示させる表示操作を受け付ける表示操作受付部（２１ａ）と、
表示操作が前記表示操作受付部により受け付けられると、表示情報を画面上に表示させる表示制御部（２１ｂ）と、
表示情報を消去不可対象として指定する消去不可操作を受け付ける消去不可操作受付部（２１ｃ）と、を備え、
前記表示制御部は、第１の表示操作が前記表示操作受付部により受け付けられると、第１の表示情報を画面上に表示させ、複数の第１の表示情報を画面上に表示させた場合に、その複数の第１の表示情報のうち一部に対する消去不可操作が前記消去不可操作受付部により受け付けられると、その消去不可操作により指定された第１の表示情報を消去不可対象として設定し、消去不可操作により指定されなかった残りの第１の表示情報を画面上から消去可能にし、前記消去不可操作に続く第２の表示操作が前記表示操作受付部により受け付けられると、消去可能にした第１の表示情報を画面上から消去した上で、消去不可対象として設定した第１の表示情報と第２の表示情報とをマージして同じ画面上に表示させる情報表示端末（２）。
【請求項２】
請求項１に記載した情報表示端末において、
前記表示操作受付部は、第１の表示操作及び第２の表示操作のうち少なくとも何れかとして検索ワードによる検索操作を受け付け、
前記表示制御部は、検索ワードによる検索操作が前記表示操作受付部により受け付けられると、表示情報として当該入力された検索ワードによる検索で得られた検索情報を画面上に表示させる情報表示端末。
【請求項３】
請求項１に記載した情報表示端末において、
前記表示操作受付部は、第１の表示操作及び第２の表示操作のうち少なくとも何れかとして記憶情報の読み出し操作を受け付け、
前記表示制御部は、記憶情報の読み出し操作が前記表示操作受付部により受け付けられると、表示情報として記憶部から読み出された記憶情報を画面上に表示させる情報表示端末。
【請求項４】
請求項１に記載した情報表示端末において、
前記表示操作受付部は、第１の表示操作及び第２の表示操作のうち少なくとも何れかとして入力情報の直接的な入力操作を受け付け、
前記表示制御部は、入力情報の直接的な入力操作が前記表示操作受付部により受け付けられると、表示情報として当該直接的な入力操作により入力された入力情報を画面上に表示させる情報表示端末。
【請求項５】
請求項１に記載した情報表示端末において、
前記表示操作受付部は、第１の表示操作及び第２の表示操作として、検索ワードによる検索操作、記憶情報の読み出し操作及び入力情報の直接的な入力操作のうちの複数の組み合わせを受け付け、
前記表示制御部は、検索ワードによる検索操作が前記表示操作受付部により受け付けられると、表示情報として当該入力された検索ワードによる検索で得られた検索情報を画面上に表示させ、記憶情報の読み出し操作が前記表示操作受付部により受け付けられると、表示情報として記憶部から読み出された記憶情報を画面上に表示させ、入力情報の直接的な入力操作が前記表示操作受付部により受け付けられると、表示情報として当該直接的な入力操作により入力された入力情報を画面上に表示させる情報表示端末。
【請求項６】
請求項１から５の何れか一項に記載した情報表示端末において、
前記表示制御部は、表示情報として地点情報を地図画面上に表示させ、
前記消去不可操作受付部は、地点情報を消去不可対象として指定する消去不可操作を地図画面上で受け付ける情報表示端末。
【請求項７】
請求項１から５の何れか一項に記載した情報表示端末において、
前記表示制御部は、表示情報を一覧リスト画面上に表示させ、
前記消去不可操作受付部は、表示情報を消去不可対象として指定する消去不可操作を一覧リスト画面上で受け付ける情報表示端末。
【請求項８】
請求項７に記載した情報表示端末において、
前記表示制御部は、表示情報として地点情報を一覧リスト画面上に表示させ、
前記消去不可操作受付部は、地点情報を消去不可対象として指定する消去不可操作を一覧リスト画面上で受け付ける情報表示端末。
【請求項９】
請求項１から８の何れか一項に記載した情報表示端末において、
地点情報を利用する情報利用部（２１ｄ）を備え、
前記表示制御部は、表示情報として地点情報を地図画面上に表示させ、
前記情報利用部は、地図画面上に表示されている地点情報を利用する情報表示端末。
【請求項１０】
請求項９に記載した情報表示端末において、
前記情報利用部は、地点情報で示される地点を経路探索の目的地として設定する情報表示端末。
【請求項１１】
請求項１から８の何れか一項に記載した情報表示端末において、
地点情報で示される地点を経路探索の目的地として設定可能な外部装置（４）とデータ通信可能に構成され、
地点情報を情報送信部（２６）から前記外部装置に送信させる情報送信制御部（２１ｅ）を備え、
前記表示制御部は、表示情報として地点情報を地図画面上に表示させ、
前記情報送信制御部は、地図画面上に表示されている地点情報を前記情報送信部から前記外部装置に送信させる情報表示端末。
【請求項１２】
情報表示端末（２）の制御部（２１）に、
第１の表示操作を受け付ける第１の手順と、
第１の表示操作を前記第１の手順により受け付けると、第１の表示情報を画面上に表示させる第２の手順と、
複数の第１の表示情報を画面上に表示させた場合に、その複数の第１の表示情報のうち一部に対する消去不可操作を受け付ける第３の手順と、
消去不可操作を前記第３の手順により受け付けると、その消去不可操作により指定された第１の表示情報を消去不可対象として設定し、消去不可操作により指定されなかった残りの第１の表示情報を画面上から消去可能にする第４の手順と、
消去不可操作に続く第２の表示操作を受け付ける第５の手順と、
第２の表示操作を前記第５の手順により受け付けると、消去可能にした第１の表示情報を画面上から消去した上で、消去不可対象として設定した第１の表示情報と前記第２の表示情報とをマージして同じ画面上に表示させる第６の手順と、を実行させる情報表示プログラム。
【発明の詳細な説明】
【技術分野】
【０００１】
本発明は、情報表示端末及び情報表示プログラムに関する。
【背景技術】
【０００２】
従来より、例えば携帯情報端末等の情報表示端末に実装されているアプリケーションプログラム（以下、アプリと称する）として、検索ワードを入力すると、その検索ワードによる検索で得られた検索情報を画面上に表示するアプリがある。そして、この種のアプリでは所謂ブックマーク機能が提供されている（例えば特許文献１参照）。
【先行技術文献】
【特許文献】
【０００３】
【特許文献１】特開２０１４−１１９８０４号公報
【発明の概要】
【発明が解決しようとする課題】
【０００４】
ブックマーク機能では、例えば施設名称（「ホテル」等）を検索ワードとして得られた複数の施設の地点情報（「ホテルＡ」や「ホテルＢ」の地点情報等）が地図画面上に表示されているときに、その複数の施設の地点情報の中からユーザが何れかを指定すると、そのユーザが指定した地点情報が記憶される。ユーザは、ブックマーク機能を利用することで、興味を持った地点情報を記憶させておくことができ、その地点情報を後から読み出すことができる。
【０００５】
しかしながら、この種のブックマーク機能では、検索ワードが入力された後に別の検索ワードが入力されると、その別の検索ワードによる検索で得られた複数の施設の地点情報が地図画面上に表示されるが、先にユーザがブックマーク機能で指定した地点情報が消去される。即ち、ユーザが異なる検索ワードによる検索を複数回続けて行う場合には、前回の検索で得られた複数の施設の地点情報の中からユーザが何れかを指定したとしても、そのユーザが指定した地点情報と今回の検索で得られた複数の施設の地点情報とが同じ地図画面上に表示されることはない。このように、ユーザが表示操作を複数回続けて行う場合に、前回の表示操作で得られた表示情報と今回の表示操作で得られた表示情報とを同じ画面上で表示させることができず、使い勝手の点で改善する余地があった。
【０００６】
本発明は、上記した事情に鑑みてなされたものであり、その目的は、ユーザが表示操作を複数回続けて行う場合の使い勝手を高めることができる情報表示端末及び情報表示プログラムを提供することにある。
【課題を解決するための手段】
【０００７】
請求項１に記載した発明によれば、表示操作受付部（２１ａ）は、表示情報を画面上に表示させる表示操作を受け付ける。表示制御部（２１ｂ）は、表示操作が表示操作受付部により受け付けられると、表示情報を画面上に表示させる。消去不可操作受付部（２１ｃ）は、表示情報を消去不可対象として指定する消去不可操作を受け付ける。表示制御部は、第１の表示操作が表示操作受付部により受け付けられると、第１の表示情報を画面上に表示させる。表示制御部は、複数の第１の表示情報を画面上に表示させた場合に、その複数の第１の表示情報のうち一部に対する消去不可操作が消去不可操作受付部により受け付けられると、その消去不可操作により指定された第１の表示情報を消去不可対象として設定し、消去不可操作により指定されなかった残りの第１の表示情報を画面上から消去可能にする。そして、表示制御部は、消去不可操作に続く第２の表示操作が表示操作受付部により受け付けられると、消去可能にした第１の表示情報を画面上から消去した上で、消去不可対象として設定した第１の表示情報と第２の表示情報とをマージして同じ画面上に表示させる。
【０００８】
即ち、ユーザが第１の表示操作を行うと、第１の表示情報を画面上に表示し、複数の第１の表示情報を画面上に表示した場合に、続いて消去不可操作を行うと、その消去不可操作により指定された第１の表示情報を消去不可対象として設定し、消去不可操作により指定されなかった残りの第１の表示情報を画面上から消去可能にする。そして、ユーザが第２の表示操作を行うと、消去可能にした第１の表示情報を画面上から消去した上で、消去不可対象として設定した第１の表示情報と第２の表示情報とをマージして同じ画面上に表示する。これにより、前回の第１の表示操作で得られた第１の表示情報の中から消去不可対象として設定した第１の表示情報と、今回の第２の表示操作で得られた第２の表示情報とを同じ画面上で表示させることができる。その結果、ユーザが第１の表示情報と第２の表示情報との関係を容易に把握することができる。例えば表示情報が地点情報であり、地点情報が地図画面上に表示される場合であれば、ユーザが第１の地点情報と第２の地点情報との位置関係を容易に把握することができる。このようにユーザが表示操作を複数回続けて行う場合の使い勝手を高めることができる。
【図面の簡単な説明】
【０００９】
【図１】本発明の一実施形態の情報表示システムの全体構成を示す図
【図２】情報表示端末及びサーバの処理を示すフローチャート
【図３】画面の遷移を示す図（その１）
【図４】画面の遷移を示す図（その２）
【図５】画面の遷移を示す図（その３）
【図６】画面の遷移を示す図（その４）
【図７】画面の遷移を示す図（その５）
【図８】画面の遷移を示す図（その６）
【図９】画面の遷移を示す図（その７）
【図１０】画面の遷移を示す図（その８）
【図１１】画面の遷移を示す図（その９）
【図１２】画面の遷移を示す図（その１０）
【図１３】画面の遷移を示す図（その１１）
【図１４】画面の遷移を示す図（その１２）
【図１５】画面の遷移を示す図（その１３）
【図１６】画面の遷移を示す図（その１４）
【図１７】画面の遷移を示す図（その１５）
【発明を実施するための形態】
【００１０】
以下、本発明の一実施形態について図面を参照して説明する。
図１に示すように、情報表示システム１は、情報表示端末２と、サーバ３とを有し、両者が広域通信ネットワークを介してデータ通信可能に構成されている。情報表示端末２は例えば所謂スマートフォン等の多機能型の携帯情報端末である。広域通信ネットワークはインターネットを含むネットワークである。又、不特定多数の情報表示端末２がサーバ３とデータ通信可能である。
【００１１】
情報表示端末２は、制御部２１と、記憶部２２と、ユーザインタフェース（以下、ＵＩ（User Interface）と称する）部２３と、表示部２４と、広域通信部２５と、近距離通信部２６（情報送信部に相当）とを有する。制御部２１は、ＣＰＵ（Central Processing Unit）、ＲＯＭ（Read Only Memory）、ＲＡＭ（Random Access Memory）及びＩ／Ｏ（Input／Output）を有するマイクロコンピュータにより構成されている。記憶部２２は、例えば半導体記憶素子等により構成されており、コンピュータプログラムを記憶している。制御部２１は、記憶部２２に記憶されているコンピュータプログラムを実行し、情報表示端末２の動作全般を制御する。コンピュータプログラムは情報表示プログラムを含む。
【００１２】
ＵＩ部２３は、表示部２４の画面上に形成されるタッチパネルや機械的なスイッチ等により構成されており、ユーザからの操作を検知すると、その操作内容を示す操作検知信号を制御部２１に出力する。表示部２４は、例えば液晶ディスプレイ等により構成されており、制御部２１から表示指令信号を入力すると、その入力した表示指令信号により指定される画面を表示する（即ち描画する）。
【００１３】
広域通信部２５は、サーバ３との間での広域通信ネットワークを介したデータ通信を制御する。近距離通信部２６は、車両に搭載されている例えばナビゲーション装置等の車両用装置４（外部装置に相当）との間での近距離通信ネットワークを介したデータ通信を制御する。即ち、車両用装置４が搭載されている車両の車室内に情報表示端末２が持ち込まれ、情報表示端末２と車両用装置４とが両者の間でデータ通信可能に無線接続又は有線接続されると、両者の間でデータ通信を行う。情報表示端末２と車両用装置４とが両者の間で行うデータ通信は、例えばＢｌｕｅｔｏｏｔｈ（登録商標）、ＢＬＥ（Bluetooth Low Energy）、ＷｉＦｉ（Wireless Fidelity）（登録商標）、ＵＳＢ（Universal Serial Bus）等の方式が挙げられる。尚、情報表示端末２は、これらの機能の他に電話に関する様々な周知の機能を有していても良い。即ち、情報表示端末２は、ユーザが発話した音声を送話音声として入力する機能、通話相手から広域通信ネットワークを介して受信した音声を受話音声として出力する機能及び電話帳データを記憶する機能等を有していても良い。
【００１４】
制御部２１は、地図画面を表示する表示アプリを起動すると、特定の地点を含む地図画像要求信号を広域通信部２５からサーバ３に送信させる。この場合、制御部２１は、例えば情報表示端末２がＧＰＳ（Global Positioning System）機能等の現在位置を特定する機能を搭載している構成であれば、特定の地点として現在位置を含む地図画像要求信号を広域通信部２５からサーバ３に送信させても良い。そして、制御部２１は、サーバ３から地図画像応答信号を広域通信部２５により受信すると、その受信した地図画像応答信号から地図画像を抽出し、その抽出した地図画像に対応する地図画面を表示部２４に表示させる。
【００１５】
又、制御部２１は、施設を検索する検索アプリを起動すると、ユーザからの検索ワードの入力を待機し、検索ワードが入力されると、その入力された検索ワードを含む検索要求信号を広域通信部２５からサーバ３に送信させる。そして、制御部２１は、サーバ３から検索応答信号を広域通信部２５により受信すると、その受信した検索応答信号から地点情報と地図画像とを抽出し、その抽出した地点情報と地図画像とを記憶部２２に記憶させ、その抽出した地点情報を地図画像に対応する地図画面上に表示させる。尚、ユーザが検索ワードを入力する方法は、表示部２４の画面上に形成されるタッチパネルを用いて入力する方法でも良いし、情報表示端末２が音声認識機能を搭載している構成であれば、音声認識機能を用いて入力する方法でも良い。
【００１６】
又、制御部２１は、本発明に関連する機能として、表示操作受付部２１ａと、表示制御部２１ｂと、消去不可操作受付部２１ｃと、情報利用部２１ｄと、情報送信制御部２１ｅとを有する。これら表示操作受付部２１ａと、表示制御部２１ｂと、消去不可操作受付部２１ｃと、情報利用部２１ｄと、情報送信制御部２１ｅとは、制御部２１が実行するコンピュータプログラムにより構成されており、ソフトウェアにより実現されている。
【００１７】
表示操作受付部２１ａは、ユーザからの表示情報を画面上に表示させる表示操作がＵＩ部２３により検知され、その表示操作を示す操作検知信号が制御部２１に入力されると、その表示操作を受け付ける。表示制御部２１ａは、表示操作が表示操作受付部２１ａにより受け付けられると、表示指令信号を表示部２４に出力し、表示情報を画面上に表示させる。消去不可操作受付部２１ｃは、ユーザからの表示情報を消去不可対象として指定する消去不可操作がＵＩ部２３により検知され、その消去不可操作を示す操作検知信号が制御部２１に入力されると、その消去不可操作を受け付ける。表示制御部２１ａは、消去不可操作が表示操作受付部２１ａにより受け付けられると、その消去不可操作により指定された表示情報を消去不可対象として設定する。
【００１８】
情報利用部２１ｄは、表示情報を利用し、例えば表示情報が地点情報であれば、その地点情報で示される地点を経路探索アプリの目的地として設定する。情報送信制御部２１ｅは、例えば表示情報が地点情報であり、情報表示端末２と車両用装置４とが両者の間でデータ通信可能であれば、その地点情報を近距離通信部２６から車両用装置４に送信させる。車両用装置４は、情報表示端末２から地点情報を受信すると、その受信した地点情報で示される地点を経路探索アプリの目的地として設定する。
【００１９】
サーバ３は、制御部３１と、記憶部３２と、地図画像データベース３３と、地点情報データベース３４と、広域通信部３５とを有する。制御部３１は、ＣＰＵ、ＲＯＭ、ＲＡＭ及びＩ／Ｏを有するマイクロコンピュータにより構成されている。記憶部３２は、例えば半導体記憶素子等により構成されており、コンピュータプログラムを記憶している。制御部３１は、記憶部３２に記憶されているコンピュータプログラムを実行し、サーバ３の動作全般を制御する。地図画像データベース３３は、ハードディスク等の記憶媒体で構成されており、地図画面を形成する画像データを含む地図画像を格納している。地点情報データベース３４は、ハードディスク等の記憶媒体で構成されており、施設名称を示す施設データや地点（例えば緯度、経度及び高度等で示される地点）を示す地点データを含む地点情報を格納している。広域通信部３５は、情報表示端末２との間での広域通信ネットワークを介したデータ通信を制御する。
【００２０】
制御部３１は、情報表示端末２から地図画像要求信号を広域通信部３５により受信すると、その受信した地図画像要求信号から特定の地点を抽出し、その抽出した特定の地点に対応する（即ち特定の地点を中心とする所定範囲の）地図画像を地図画像データベース３３から取得する。そして、制御部３１は、その取得した地図画像を含む地図画応答信号を広域通信部３５から情報表示端末２に送信させる。又、制御部３１は、情報表示端末２から検索要求信号を広域通信部３５により受信すると、その受信した検索要求信号から検索ワードを抽出し、その抽出した検索ワードに該当する地点情報を地点情報データベース３４から取得し、その取得した地点情報を含む周辺の地図画像を地図画像データベース３３から取得する。そして、制御部３１は、その取得した地点情報と地図画像とを含む検索応答信号を広域通信部３５から情報表示端末２に送信させる。
【００２１】
次に、上記した構成の作用について図２から図１７を参照して説明する。尚、ここでは、ユーザが施設の検索アプリを起動させた状態で異なる検索ワードによる検索操作（表示操作に相当）を複数回続けて行う場合について図２から図１０を参照して説明する。ここでいう検索ワードによる検索操作を複数回続けて行うことは、前回の検索操作を行った後に他の操作を挟まずに今回の検索操作を行うことに限らず、他の操作が検索操作に関与しない操作（例えば地図画面の縮尺を変更する操作等）であれば、前回の検索操作を行った後に他の操作を挟んで今回の検索操作を行うことも含む意味である。
【００２２】
情報表示端末２において、制御部２１は、施設の検索アプリを起動中では第１の検索ワード（即ち最初の検索ワード）の入力を待機している。制御部２１は、例えばユーザが第１の検索ワードを発話し、その第１の検索ワードの音声認識に成功すると、第１の検索ワードの入力を特定する（Ａ１、第１の手順に相当）。制御部２１は、第１の検索ワードの入力を特定すると、その入力された第１の検索ワードを含む検索要求信号を広域通信部２５からサーバ３に送信させる。
【００２３】
サーバ３において、制御部３１は、情報表示端末２から検索要求信号を広域通信部３５により受信すると、その受信した検索要求信号から第１の検索ワードを抽出する。制御部３１は、その抽出した第１の検索ワードに該当する地点情報を地点情報データベース３４から取得する（Ｂ１）。次いで、制御部３１は、その取得した地点情報を含む周辺の地図画像を地図画像データベース３３から取得する（Ｂ２）。そして、制御部３１は、その取得した地点情報と地図画像とを含む検索応答信号を広域通信部３５から情報表示端末２に送信させる。
【００２４】
情報表示端末２において、制御部２１は、サーバ３から検索応答信号を広域通信部２５により受信すると、その受信した検索応答信号から地点情報と地図画像とを抽出する。次いで、制御部２１は、その抽出した地点情報と地図画像とを記憶部２２に記憶させ、検索情報として地点情報を地図画像に対応する地図画面上に表示させる（Ａ２、第２の手順に相当）。即ち、制御部２１は、今回の第１の検索ワードによる検索で得られた地点情報を地図画面上に表示させる。
【００２５】
ここで、制御部２１は、地点情報を地図画面上に表示させる際に、ユーザからの消去不可操作を受け付け可能とし、ユーザからの消去不可操作が行われたか否かを監視する（Ａ３）。制御部２１は、ユーザが消去不可操作を行ったことで、ユーザからの消去不可操作が行われたと判定すると（Ａ３：ＹＥＳ、第３の手順）、消去不可操作により指定された地点情報を消去不可対象として設定する（Ａ４、第４の手順）。即ち、制御部２１は、例えば複数の地点情報を地図画面上に表示させている場合であれば、複数の地点情報の中からユーザが消去不可操作により指定した地点情報を消去不可対象として設定する。このとき、制御部２１は、消去不可対象として設定した地点情報の表示態様を変更し、消去不可対象として設定した地点情報を、消去不可対象として設定しなかった地点情報と区別して表示させる。
【００２６】
次いで、制御部２１は、ユーザからの消去操作を受け付け可能とし、ユーザからの消去操作が行われたか否かを監視する（Ａ５）。制御部２１は、ユーザが消去操作を行ったことで、ユーザからの消去操作が行われたと判定すると（Ａ５：ＹＥＳ）、消去不可対象として設定しなかった地点情報を地図画面上から消去し、消去不可対象として設定した地点情報を地図画面上から消去せずに表示させ続ける（Ａ６）。尚、このとき、制御部２１は、消去不可対象として設定しなかった地点情報を記憶部２２から消去しても良い。
【００２７】
次いで、制御部２１は、第２の検索ワード（即ち次の検索ワード）の入力を待機する。制御部２１は、例えばユーザが第２の検索ワードを発話し、その第２の検索ワードの音声認識に成功すると、第２の検索ワードの入力を特定する（Ａ７、第５の手順に相当）。制御部２１は、第２の検索ワードの入力を特定すると、その入力された第２の検索ワードを含む検索要求信号を広域通信部２５からサーバ３に送信させる。
【００２８】
サーバ３において、制御部３１は、情報表示端末２から検索要求信号を広域通信部３５により受信すると、その受信した検索要求信号から第２の検索ワードを抽出する。制御部３１は、その抽出した第２の検索ワードに該当する地点情報を地点情報データベース３４から取得する（Ｂ３）。次いで、制御部３１は、その取得した地点情報を含む周辺の地図画像を地図画像データベース３３から取得する（Ｂ４）。そして、制御部３１は、その取得した地点情報と地図画像とを含む検索応答信号を広域通信部３５から情報表示端末２に送信させる。
【００２９】
情報表示端末２において、制御部２１は、サーバ３から検索応答信号を広域通信部２５により受信すると、その受信した検索応答信号から地点情報と地図画像とを抽出する。次いで、制御部２１は、その抽出した地点情報と地図画像とを記憶部２２に記憶させ、前回の第１の検索ワードによる検索で得られた地点情報の中から消去不可対象として設定した地点情報と、今回の第２の検索ワードによる検索で得られた地点情報とをマージして同じ地図画像に対応する地図画面上に表示させる（Ａ８、第６の手順に相当）。
【００３０】
以下、上記した一連の処理に関係する画面の遷移について図３から図１０も参照して説明する。
制御部２１は、ユーザからの第１の検索ワードの入力を待機する画面として、図３（ａ）に示す画面を表示させる。第１の検索ワードの入力を待機する画面では、メニューキー５ａ及び検索キー５ｂが形成されていると共に、検索ワード表示ボックス５ｃが形成されている。制御部２１は、ユーザが第１の検索ワードとして例えば「Hotel」を発話し、そのユーザが発話した「Hotel」の音声認識に成功すると、図３（ｂ）に示すように、「Hotel」を検索ワード表示ボックス５ｃに表示させる。次いで、制御部２１は、ユーザが検索キー５ｂを押下すると、その第１の検索ワードである「Hotel」を含む検索要求信号を広域通信部２５からサーバ３に送信させ、サーバ３からの検索応答信号の受信を待機する。
【００３１】
制御部２１は、サーバ３から検索応答信号を広域通信部２５により受信すると、その受信した検索応答信号から第１の検索ワードの「Hotel」による検索で得られた地点情報と地図画像とを抽出する。次いで、制御部２１は、その抽出した地点情報と地図画像とを記憶部２２に記憶させ、地点情報を地図画像に対応する地図画面上に表示させる。即ち、制御部２１は、「Hotel」による検索で得られた検索結果として「Hotel  Ａ」、「Hotel  Ｂ」、「Hotel  Ｃ」及び「Hotel  Ｄ」の地点情報をサーバ３から取得すると、図４（ａ）に示すように、それぞれの地点情報を示すアイコンＩａ〜Ｉｄを表示領域の左半部である地図画面上に表示させる。又、制御部２１は、それぞれの地点情報の施設名称の一覧を表示領域の右半部である一覧リスト画面上に表示させる。尚、アイコンＩａ〜Ｉｄはユーザが「Hotel」を容易に連想し得る図形のアイコン（例えばベッドの図形等）であっても良い。
【００３２】
ここで、第１の検索ワードによる検索結果が得られた直後では、ユーザは消去不可操作を行うことが可能となる。制御部２１は、例えばユーザがアイコンＩａ〜Ｉｄの中からアイコンＩａ，Ｉｃの表示箇所を押下すると、「Hotel  Ａ」、「Hotel  Ｂ」、「Hotel  Ｃ」及び「Hotel  Ｄ」の地点情報の中から「Hotel  Ａ」及び「Hotel  Ｃ」の地点情報を消去不可対象として設定する。このとき、制御部２１は、図４（ｂ）に示すように、消去不可対象として設定した地点情報のアイコンＩａ，Ｉｃの表示態様を変更し、消去不可対象として設定した地点情報のアイコンＩａ，Ｉｃを、消去不可対象として設定しなかった地点情報のアイコンＩｂ，Ｉｄと区別して表示させると共に、消去不可対象として設定した地点情報の施設名称にチェック（図４では二重丸の記号で示す）を追加表示させる（即ち付与する）。尚、図４では、表示態様を変更することをドットの付与により示しているが、表示態様をどのように変更しても良い。例えばアイコンの形状、サイズ、色等を変更しても良いし、それらの幾つかを組み合わせて変更しても良い。
【００３３】
次いで、制御部２１は、ユーザがクリアー５ｄを押下すると、図５（ａ）に示すように、消去不可対象として設定しなかった地点情報のアイコンＩｂ，Ｉｄを地図画面上から消去し、消去不可対象として設定した地点情報のアイコンＩａ，Ｉｃを地図画面上から消去せずに表示させ続ける。このとき、制御部２１は、消去不可対象として設定しなかった「Hotel  Ｂ」及び「Hotel  Ｄ」の地点情報を記憶部２２から消去しても良い。
【００３４】
次いで、制御部２１は、ユーザが第２の検索ワードとして例えば「Cafe」を発話し、そのユーザが発話した「Cafe」の音声認識に成功すると、図５（ｂ）に示すように、「Cafe」を検索ワード表示ボックス５ｃに表示させる。次いで、制御部２１は、ユーザが検索キー５ｂを押下すると、その第２の検索ワードである「Cafe」を含む検索要求信号を広域通信部２５からサーバ３に送信させ、サーバ３からの検索応答信号の受信を待機する。
【００３５】
制御部２１は、サーバ３から検索応答信号を広域通信部２５により受信すると、その受信した検索応答信号から第２の検索ワードの「Cafe」による検索で得られた検索結果を示す地点情報と地図画像とを抽出する。次いで、制御部２１は、その抽出した地点情報と地図画像とを記憶部２２に記憶させ、地点情報を地図画像に対応する地図画面上に表示させる。即ち、制御部２１は、「Cafe」による検索で得られた検索結果として「Cafe  Ｅ」、「Cafe  Ｆ」、「Cafe  Ｇ」及び「Cafe  Ｈ」の地点情報をサーバ３から取得すると、図６（ａ）に示すように、第１の検索ワードによる検索時に消去不可対象として設定した「Hotel  Ａ」及び「Hotel  Ｃ」のそれぞれの地点情報を示すアイコンＩａ，Ｉｃと、「Cafe  Ｅ」、「Cafe  Ｆ」、「Cafe  Ｇ」及び「Cafe  Ｈ」のそれぞれの地点情報を示すアイコンＩｅ〜Ｉｈとをマージして同じ地図画面上に表示させる。又、制御部２１は、それぞれの地点情報の施設名称の一覧を一覧リスト画面上に表示させる。尚、アイコンＩｅ〜Ｉｈはユーザが「Cafe」を容易に連想し得る図形のアイコン（例えばカップの図形等）であっても良い。
【００３６】
以上に説明したように、制御部２１は、第１の検索ワードによる検索で得られた地点情報のうち消去不可対象として設定したアイコンＩａ，Ｉｃと、第２の検索ワードによる検索で得られた地点情報のアイコンＩｅ〜Ｉｈとをマージして同じ地図画面上に表示させる。これにより、ユーザは、第１の検索ワードによる検索で得られて消去不可対象として設定した「Hotel  Ａ」及び「Hotel  Ｃ」と、第２の検索ワードによる検索で得られた「Cafe  Ｅ」、「Cafe  Ｆ」、「Cafe  Ｇ」及び「Cafe  Ｈ」との位置関係を同じ地図画面上で容易に把握することができる。即ち、ユーザは、例えば「Hotel  Ａ」及び「Hotel  Ｃ」のうち何れの周辺に「Cafe」が多いか等を容易に把握することができる。
【００３７】
尚、以上は、ユーザが「Hotel  Ａ」及び「Hotel  Ｃ」の地点情報を消去不可対象として指定した場合を説明したが、「Hotel  Ａ」、「Hotel  Ｂ」、「Hotel  Ｃ」及び「Hotel  Ｄ」の全ての地点情報を消去不可対象として指定した場合も同様である。その場合、制御部２１は、第１の検索ワードによる検索で得られて消去不可対象として設定した「Hotel  Ａ」、「Hotel  Ｂ」、「Hotel  Ｃ」及び「Hotel  Ｄ」のそれぞれの地点情報を示すアイコンＩａ〜Ｉｄと、第２の検索ワードによる検索で得られた「Cafe  Ｅ」、「Cafe  Ｆ」、「Cafe  Ｇ」及び「Cafe  Ｈ」のそれぞれの地点情報を示すアイコンＩｅ〜Ｉｈとをマージして同じ地図画面上に表示させる。
【００３８】
又、以上は、ユーザが地図画面上に表示されているアイコンの表示箇所を押下して消去不可対象を指定する場合を説明したが、ユーザが一覧リスト画面上に表示されている施設名称の一覧を選択して消去不可対象を指定可能としても良い。又、以上は、ユーザが消去不可対象を指定した後にクリアー５ｄを押下する場合を説明したが、ユーザがクリアー５ｄを押下する操作を省いても良い。即ち、制御部２１は、図４（ｂ）に示す画面を表示させている状態から、ユーザがクリアー５ｄを押下せずに第２の検索ワードとして例えば「Cafe」を発話し、そのユーザが発話した「Cafe」の音声認識に成功すると、図５（ａ）に示す画面を省いて図５（ｂ）に示す画面を表示させても良い。
【００３９】
ここで、第２の検索ワードによる検索結果が得られた直後でも、第１の検索ワードによる検索結果が得られた直後と同様に、ユーザは消去不可操作を行うことが可能となる。制御部２１は、例えばユーザがアイコンＩａ，Ｉｃ，Ｉｅ〜Ｉｈの中からアイコンＩｅ，Ｉｇの表示箇所を押下すると、「Cafe  Ｅ」及び「Cafe  Ｇ」の地点情報を消去不可対象として設定する。このときも、制御部２１は、図６（ｂ）に示すように、消去不可対象として設定した地点情報のアイコンＩｅ，Ｉｇの表示態様を変更し、消去不可対象として設定した地点情報のアイコンＩｅ，Ｉｇを、消去不可対象として設定しなかった地点情報のアイコンＩｆ，Ｉｈと区別して表示させると共に、消去不可対象として設定した地点情報の施設名称にチェックを追加表示させる。
【００４０】
次いで、制御部２１は、ユーザがクリアー５ｄを押下すると、図７（ａ）に示すように、アイコンＩａ，Ｉｃを地図画面上に表示させ続けたまま、消去不可対象として設定しなかった地点情報のアイコンＩｆ，Ｉｈを地図画面上から消去し、消去不可対象として設定した地点情報のアイコンＩｅ，Ｉｇを地図画面上から消去せずに表示させ続ける。このときも、制御部２１は、消去不可対象として設定しなかった「Cafe  Ｆ」及び「Cafe  Ｈ」の地点情報を記憶部２２から消去しても良い。
【００４１】
これ以降、制御部２１は、ユーザが第３の検索ワードを発話し、そのユーザが発話した第３の検索ワードの音声認識に成功すると、同様の処理を行う。即ち、制御部２１は、ユーザが異なる検索ワードによる検索操作を何回行う場合でも、ユーザが消去不可操作を行うことで、複数の検索ワードによる複数回の検索で得られた複数の検索結果をマージして同じ地図画面上に表示させる。これにより、ユーザは、異なる検索ワードによる複数回の検索で得られた複数の地点情報の位置関係を同じ地図画面上で容易に把握することができる。
【００４２】
又、制御部２１は、消去不可対象として一旦設定した地点情報を消去不可対象から解除しても良い。即ち、制御部２１は、図８（ｂ）に示す画面を表示させている状態から、例えばユーザが消去不可対象として一旦指定した「Hotel  Ｃ」の地点情報を示すアイコンＩｃの表示箇所を押下すると、図９（ａ）に示すように、「Hotel  Ｃ」の地点情報を消去不可対象から解除する。このとき、制御部２１は、消去不可対象から解除した地点情報のアイコンＩｃの表示態様を元に戻す（即ち消去不可対象として設定する前に戻す）。そして、制御部２１は、ユーザがクリアー５ｄを押下すると、図９（ｂ）に示すように、アイコンＩａを地図画面上に表示させ続けたまま、消去不可対象として設定しなかった地点情報のアイコンＩｆ，Ｉｈに加えて消去不可対象から解除した地点情報のアイコンＩｃを地図画面上から消去し、消去不可対象として設定した地点情報のアイコンＩｅ，Ｉｇを地図画面上から消去せずに表示させ続ける。
【００４３】
又、以上は、第１の検索ワードを入力する前後で地図画面が変化しない場合を説明したが、第１の検索ワードを入力する前後で地図画面が変化する場合も同様である。即ち、制御部２１は、ユーザからの第１の検索ワードの入力を待機する画面が図３（ａ）に示す画面ではなく図１０（ａ）に示す画面でも良い。制御部２１は、図１０（ａ）に示す画面を表示させている状態から、ユーザが第１の検索ワードとして例えば「Hotel」を発話し、そのユーザが発話した「Hotel」の音声認識に成功すると、図１０（ｂ）に示すように、「Hotel」を検索ワード表示ボックス５ｃに表示させる。そして、制御部２１は、「Hotel」による検索で得られた検索結果として「Hotel  Ａ」、「Hotel  Ｂ」、「Hotel  Ｃ」及び「Hotel  Ｄ」の地点情報をサーバ３から取得すると、前述した図４（ａ）に示す画面を表示させる。即ち、制御部２１は、サーバ３から取得した地点情報が最初の地図画面上に存在しなければ、サーバ３から取得した地点情報が存在する地図画面に変更する。
【００４４】
又、以上は、ユーザが異なる検索ワードによる検索操作を複数回続けて行う場合を説明したが、次に、ユーザが検索ワードによる検索操作と記憶情報の読み出し操作（表示操作に相当）とを組み合わせて行う場合について図１１から図１３を参照して説明する。
制御部２１は、前述したように、図４（ｂ）に示す画面を表示させている状態から、ユーザがクリアー５ｄを押下すると、図１１（ａ）に示すように、消去不可対象として設定しなかった地点情報のアイコンＩｂ，Ｉｄを地図画面上から消去し、消去不可対象として設定した地点情報のアイコンＩａ，Ｉｃを地図画面上から消去せずに表示させ続ける。ここで、制御部２１は、ユーザがメニューキー５ａを押下すると、図１１（ｂ）に示すように、記憶情報の読み出し元の一覧を表示領域の左半部である一覧リスト画面上に表示させる。
【００４５】
制御部２１は、例えばユーザが「Bookmarks」を選択すると、図１２（ａ）に示すように、ブックマーク機能により記憶情報として記憶させておいた地点情報の一覧を表示させ、その地点情報の中から該当する地図画面上に表示可能な地点情報にチェック（図１２では黒丸の記号で示す）を追加表示させる（即ち付与する）。制御部２１は、所定時間（例えば数秒）が経過すると、図１２（ｂ）に示すように、第１の検索ワードによる検索時に消去不可対象として設定した「Hotel  Ａ」及び「Hotel  Ｃ」のそれぞれの地点情報を示すアイコンＩａ，Ｉｃと、ブックマーク機能により記憶させておいた「Point  Ｊ」及び「Point  Ｋ」のそれぞれの地点情報を示すアイコンＩｊ，Ｉｋとをマージして同じ地図画面上に表示させる。又、制御部２１は、それぞれの地点情報の施設名称や地点の一覧を一覧リスト画面上に表示させる。
【００４６】
以上に説明したように、制御部２１は、第１の検索ワードによる検索で得られた地点情報のアイコンＩａ，Ｉｃと、ブックマーク機能により記憶させておいた地点情報のアイコンＩｊ，Ｉｋとをマージして同じ地図画面上に表示させる。これにより、ユーザは、第１の検索ワードによる検索で得られた「Hotel  Ａ」及び「Hotel  Ｃ」と、ブックマーク機能により記憶させておいた「Point  Ｊ」及び「Point  Ｋ」との位置関係を同じ地図画面上で容易に把握することができる。
【００４７】
この場合も、制御部２１は、これ以降に例えばユーザがアイコンＩｋの表示箇所を押下すると、「Point  Ｋ」の地点情報を消去不可対象として設定する。このときも、制御部２１は、図１３（ａ）に示すように、消去不可対象として設定した地点情報のアイコンＩｋの表示態様を変更する。そして、制御部２１は、ユーザがクリアー５ｄを押下すると、図１３（ｂ）に示すように、アイコンＩａ，Ｉｃを地図画面上に表示させ続けたまま、消去不可対象として設定しなかった地点情報のアイコンＩｊを地図画面上から消去し、消去不可対象として設定した地点情報のアイコンＩｋを地図画面上から消去せずに表示させ続ける。
【００４８】
尚、以上は、ユーザが検索ワードによる検索操作を行ってから記憶情報の読み出し操作を行う場合を説明したが、ユーザが記憶情報の読み出し操作を行ってから検索ワードによる検索操作を行う場合も同様である。又、ユーザが検索ワードによる検索操作を複数回行う場合や記憶情報の読み出し操作を複数回行う場合も同様である。即ち、ユーザが検索ワードによる検索操作と記憶情報の読み出し操作とをどのような順序や回数で組み合わせて行う場合も同様である。
【００４９】
更に、ユーザが記憶情報の読み出し操作のみを複数回続けて行う場合も同様である。ここでいう記憶情報の読み出し操作を複数回続けて行うことは、前回の読み出し操作を行った後に他の操作を挟まずに今回の読み出し操作を行うことに限らず、他の操作が読み出し操作に関与しない操作（例えば地図画面の縮尺を変更する操作等）であれば、前回の読み出し操作を行った後に他の操作を挟んで今回の読み出し操作を行うことも含む意味である。即ち、制御部２１は、ユーザからの第１の読み出し操作を受け付け、その第１の読み出し操作により読み出した第１の地点情報に対する消去不可操作を受け付けると、その第１の地点情報を消去不可対象として設定する。そして、制御部２１は、ユーザからの第２の読み出し操作を受け付けると、消去不可対象として設定した第１の地点情報と、その第２の読み出し操作により読み出した第２の地点情報とをマージして同じ地図画面上に表示させる。
【００５０】
次に、ユーザが検索ワードによる検索操作と入力情報の直接的な入力操作（表示操作に相当）とを組み合わせて行う場合について図１４から図１７を参照して説明する。
制御部２１は、図１４（ａ）に示す画面を表示させている状態から、ユーザが地図画面上の任意の地点を押下すると、図１４（ｂ）に示すように、入力情報として当該地点である「Point  Ｘ」の地点情報を示すアイコンＩｘを表示領域の左半部である地図画面上に表示させると共に、地点情報の地点の一覧を表示領域の右半部である一覧リスト画面上に表示させる。
【００５１】
制御部２１は、例えばユーザがアイコンＩｘの表示箇所を押下すると、「Point  Ｘ」の地点情報を消去不可対象として設定する。このとき、制御部２１は、図１５（ａ）に示すように、消去不可対象として設定した地点情報のアイコンＩｘの表示態様を変更し、消去不可対象として設定した地点情報にチェック（図１５では二重丸の記号で示す）を追加表示させる（即ち付与する）。これ以降、制御部２１は、ユーザが第１の検索ワードとして例えば「Hotel」を発話し、そのユーザが発話した「Hotel」の音声認識に成功すると、図１５（ｂ）に示すように、「Hotel」を検索ワード表示ボックス５ｃに表示させる。
【００５２】
次いで、制御部２１は、ユーザが検索キー５ｂを押下し、「Hotel」による検索で得られた検索結果として「Hotel  Ａ」、「Hotel  Ｂ」、「Hotel  Ｃ」及び「Hotel  Ｄ」の地点情報をサーバ３から取得すると、図１６（ａ）に示すように、直接的な入力操作により入力されて消去不可対象として設定した「Point  Ｘ」の地点情報を示すアイコンＩｘと、「Hotel  Ａ」、「Hotel  Ｂ」、「Hotel  Ｃ」及び「Hotel  Ｄ」のそれぞれの地点情報を示すアイコンＩａ〜Ｉｄとをマージして同じ地図画面上に表示させる。又、制御部２１は、それぞれの地点情報の施設名称や地点の一覧を一覧リスト画面上に表示させる。
【００５３】
以上に説明したように、制御部２１は、直接的な入力操作により入力された地点情報のアイコンＩｘと、第１の検索ワードによる検索で得られた地点情報のアイコンＩａ〜Ｉｄとをマージして同じ地図画面上に表示させる。これにより、ユーザは、直接的な入力操作により入力した「Point  Ｘ」と、第１の検索ワードによる検索で得られた「Hotel  Ａ」、「Hotel  Ｂ」、「Hotel  Ｃ」及び「Hotel  Ｄ」との位置関係を同じ地図画面上で容易に把握することができる。
【００５４】
この場合も、制御部２１は、これ以降に例えばユーザがアイコンＩａ〜Ｉｄの中からアイコンＩａ，Ｉｃの表示箇所を押下すると、図１６（ｂ）に示すように、「Hotel  Ａ」、「Hotel  Ｂ」、「Hotel  Ｃ」及び「Hotel  Ｄ」の地点情報の中から「Hotel  Ａ」及び「Hotel  Ｃ」の地点情報を消去不可対象として設定する。そして、制御部２１は、ユーザがクリアー５ｄを押下すると、図１７（ａ）に示すように、アイコンＩｘを地図画面上に表示させ続けたまま、消去不可対象として設定しなかった地点情報のアイコンＩｂ，Ｉｄを地図画面上から消去し、消去不可対象として設定した地点情報のアイコンＩａ，Ｉｃを地図画面上から消去せずに表示させ続ける。
【００５５】
尚、以上は、ユーザが入力情報の直接的な入力操作を行ってから検索ワードによる検索操作を行う場合を説明したが、ユーザが検索ワードによる検索操作を行ってから入力情報の直接的な入力操作を行う場合も同様である。又、ユーザが検索ワードによる検索操作を複数回行う場合や入力情報の直接的な入力操作を複数回行う場合も同様である。即ち、ユーザが検索ワードによる検索操作と入力情報の直接的な入力操作とをどのような順序や回数で組み合わせて行う場合も同様である。
【００５６】
更に、ユーザが入力情報の直接的な入力操作のみを複数回続けて行う場合も同様である。ここでいう入力情報の直接的な入力操作を複数回続けて行うことは、前回の直接的な入力操作を行った後に他の操作を挟まずに今回の直接的な入力操作を行うことに限らず、他の操作が直接的な入力操作に関与しない操作（例えば地図画面の縮尺を変更する操作等）であれば、前回の直接的な入力操作を行った後に他の操作を挟んで今回の直接的な入力操作を行うことも含む意味である。即ち、制御部２１は、ユーザからの第１の直接的な入力操作を受け付け、その第１の直接的な入力操作により入力した第１の地点情報に対する消去不可操作を受け付けると、その第１の地点情報を消去不可対象として設定する。そして、制御部２１は、ユーザからの第２の直接的な入力操作を受け付けると、消去不可対象として設定した第１の地点情報と、その第２の直接的な入力操作により入力した第２の地点情報とをマージして同じ地図画面上に表示させる。
【００５７】
又、制御部２１は、これ以降、ユーザが経路探索アプリを起動して所定操作を行うと、前述した地点情報を施設の検索アプリから経路探索アプリに転送し、地点情報により示される地点を経路探索の目的地として設定しても良い。更に、制御部２１は、これ以降、情報表示端末２と車両用装置４とが両者の間で行うデータ通信可能な状況でユーザがデータ通信アプリを起動して所定操作を行うと、前述した地点情報を近距離通信部２６から車両用装置４に送信させても良い。車両用装置４は、情報表示端末２から地点情報を受信すると、その受信した地点情報で示される地点を経路探索アプリの目的地として設定しても良い。
【００５８】
以上に説明したように本実施形態によれば、次に示す効果を得ることができる。
情報表示端末２において、ユーザが異なる検索ワードによる検索操作を複数回続けて行う場合でも、ユーザが消去不可操作を行うことで、複数の検索ワードによる複数回の検索で得られた複数の検索結果をマージして同じ地図画面上に表示するようにした。これにより、ユーザが異なる検索ワードによる複数回の検索で得られた複数の地点情報の位置関係を同じ地図画面上で容易に把握することができる。その結果、ユーザが異なる検索ワードによる検索操作を複数回続けて行う場合の使い勝手を高めることができる。
【００５９】
又、ユーザが検索ワードによる検索操作のみを複数回続けて行う場合に限らず、ユーザが検索ワードによる検索操作と記憶情報の読み出し操作や入力情報の直接的な入力操作とを組み合わせて行う場合でも同様に使い勝手を高めることができる。更に、ユーザが記憶情報の読み出し操作のみを複数回続けて行う場合や入力情報の直接的な入力操作のみを複数回続けて行う場合でも同様に使い勝手を高めることができる。
【００６０】
更に、地点情報を施設の検索アプリから経路探索アプリに転送し、地点情報により示される地点を経路探索の目的地として設定可能とすることで、今回の検索で得られた地点情報により示される地点のみならず、前回の検索で得られた地点情報により示される地点をも経路探索の目的地として設定することができる。その結果、経路探索アプリと併用することで、経路探索の目的地を設定する場合の使い勝手をも高めることができる。
【００６１】
本発明は、上記した実施形態で例示したものに限定されることなく、その範囲を逸脱しない範囲で任意に変形又は拡張することができる。
本実施形態では、情報表示端末２とサーバ３と広域通信を行うことで、情報表示端末２がサーバ３から地点情報及び地図画像を取得する構成を例示したが、地図画像データベース３３や地点情報データベース３４と同等の機能を情報表示端末２が有することで、検索に関する一連の処理を情報表示端末２が単独で行う構成でも良い。
【００６２】
本実施形態では、地点情報を表示する態様として表示領域を地図画面と一覧リスト画面とに区分し、地点情報を示すアイコンを地図画面上に表示すると共に、地点情報の施設名称の一覧を一覧リスト画面上に表示する態様を例示したが、何れか一方のみを採用する態様でも良い。又、地点情報を表示する態様をユーザが選択可能な構成でも良い。
【００６３】
本実施形態では、表示情報を画面上に表示する態様として地点情報を地図画面上に表示する態様を例示したが、地点情報以外の表示情報を表示しても良い。例えば楽曲のタイトルやアーティスト名等に関する楽曲情報を表示情報として表示しても良い。このような構成では、例えば楽曲を検索する用途において、第１の検索ワードによる検索で得られた楽曲情報を消去不可対象として設定することで、第１の検索ワードによる検索で得られた楽曲情報と、第２の検索ワードによる検索で得られた楽曲情報とをマージして同じ画面上に表示させることができる。
【符号の説明】
【００６４】
図面中、２は情報表示端末、２１は制御部、２１ａは表示操作受付部、２１ｂは表示制御部、２１ｃは消去不可操作受付部、２１ｄは情報利用部、２１ｅは情報送信制御部、２６は近距離通信部（情報送信部）、４は車両用装置（外部装置）である。
【図１】
0006582915.tif 000002
【図２】
0006582915.tif 000003
【図３】
0006582915.tif 000004
【図４】
0006582915.tif 000005
【図５】
0006582915.tif 000006
【図６】
0006582915.tif 000007
【図７】
0006582915.tif 000008
【図８】
0006582915.tif 000009
【図９】
0006582915.tif 000010
【図１０】
0006582915.tif 000011
【図１１】
0006582915.tif 000012
【図１２】
0006582915.tif 000013
【図１３】
0006582915.tif 000014
【図１４】
0006582915.tif 000015
【図１５】
0006582915.tif 000016
【図１６】
0006582915.tif 000017
【図１７】
0006582915.tif 000018